(57)【特許請求の範囲】
【請求項１】
コネクタと、前記コネクタ内で嵌合方向にスライド自在に設けられ、前記コネクタ内に相手コネクタが進入すると前記相手コネクタに当接して前記相手コネクタの進入方向に押し込まれ、さらに進入すると前記相手コネクタとの当接が解除されて前記コネクタ及び前記相手コネクタが嵌合するとともに前記進入方向と逆の方向に戻される板状のスライダと、を備えるスライダ保持構造であって、
前記コネクタが、前記スライダと係止する突起部を備え、
前記スライダが、前記相手コネクタの進入方向と逆方向に戻された際に前記突起部に係止する第１係止部を備え、
前記突起部に前記第１係止部が係止した時に、少なくとも当該第１係止部の一部が、前記スライダの厚さ方向への前記スライダの移動を抑制する係止を行うものであり、
前記第１係止部が、係止部本体と、該係止部本体から前記進入方向と反対側に突出した突部と、を有しており、
前記スライダが、前記突起部と係止する係止位置よりも前記進入方向側にスライドさせた時に、前記突起部と前記厚さ方向で係止する第２係止部を備えた
ことを特徴とするスライダ保持構造。
【請求項２】
前記突起部が、前記スライダの幅方向内側に向かって突出して設けられ、
前記第１係止部が、前記スライダの幅方向外側に突出して設けられている
ことを特徴とする請求項１に記載のスライダ保持構造。
【請求項３】
前記第１係止部と前記第２係止部との間には、隙間が設けられ、
前記スライダを前記コネクタ内に挿入させた時前記突起部が前記隙間を通って前記係止位置に位置付けられる
ことを特徴とする請求項１又は２に記載のスライダ保持構造。
【請求項４】
前記コネクタが、前記スライダを係止する係止突起を備え、
前記スライダが、前記厚さ方向に可撓性を有し、先端部が前記係止突起に係止するアームを備え、
前記第１係止部が、前記アームの先端部から幅方向に突出して設けられ、
前記アーム先端部が前記係止突起を乗り上げた時に、前記突起部が挿入されるように前記隙間が設けられている
ことを特徴とする請求項３に記載のスライダ保持構造。
【発明の詳細な説明】
【技術分野】
【０００１】
本発明は、スライダ保持構造に関する。
【背景技術】
【０００２】
従来、一方のコネクタ内に弾性付勢されたスライダの作用で他方のコネクタとの半嵌合を検知する半嵌合検知コネクタが知られている。図１１は、特開２００１−３２６０３２号公報（特許文献１）に記載された従来の半嵌合検知コネクタを示すものである。
【０００３】
特許文献１における半嵌合検知コネクタ１００は、嵌合可能に設けられた一対の雄側のコネクタ２００及び雌側のコネクタ３００と、両コネクタ嵌合離脱方向にスライド自在に設けられ雌側のコネクタ３００側に付勢される雄側のコネクタ２００内に配されたスライダ４００と、を備えている。雄側のコネクタ２００は停止突起２３０を備えている。また、スライダ４００は、停止突起２３０に当接するガイド突起３６０を備えている。スライダ４００の停止突起２３０がガイド突起３６０に当接することで、スライダ４００の前端位置が規定され、付勢されるスライダ４００が雄側のコネクタ２００内に保持される。
【先行技術文献】
【特許文献】
【０００４】
【特許文献１】特開２００１−３２６０３２号公報
【発明の概要】
【発明が解決しようとする課題】
【０００５】
しかしながら、停止突起２３０及びガイド突起３６０の当接は、共に垂直方向の面同士が当接しているに過ぎない。そのため、スライダ４００に外力が加わりスライダ４００が浮いた状態、つまり、スライダ４００がめくれ上がった状態となった場合には、雄側のコネクタ２００からスライダ４００が外れてしまうという可能性があった。
【０００６】
本発明は、スライダのめくれ上がりを抑制し、コネクタ内におけるスライダの保持性に優れたスライダ保持構造を提供することを目的とする。
【課題を解決するための手段】
【０００７】
請求項１に記載された発明は、上記目的を達成するために、コネクタと、前記コネクタ内で嵌合方向にスライド自在に設けられ、前記コネクタ内に相手コネクタが進入すると前記相手コネクタに当接して前記相手コネクタの進入方向に押し込まれ、さらに進入すると前記相手コネクタとの当接が解除されて前記コネクタ及び前記相手コネクタが嵌合するとともに前記進入方向と逆の方向に戻される板状のスライダと、を備えるスライダ保持構造であって、前記コネクタが、前記スライダと係止する突起部を備え、前記スライダが、前記相手コネクタの進入方向と逆方向に戻された際に前記突起部に係止する第１係止部を備え、前記突起部に前記第１係止部が係止した時に、少なくとも当該第１係止部の一部が、前記スライダの厚さ方向への前記スライダの移動を抑制する係止を行うものであり、前記第１係止部が、係止部本体と、該係止部本体から前記進入方向と反対側に突出した突部と、を有しており、前記スライダが、前記突起部と係止する係止位置よりも前記進入方向側にスライドさせた時に、前記突起部と前記厚さ方向で係止する第２係止部を備えたことを特徴とするスライダ保持構造である。
【０００８】
請求項２に記載された発明は、請求項１に記載のスライダ保持構造において、前記突起部が、前記スライダの幅方向内側に向かって突出して設けられ、前記第１係止部が、前記スライダの幅方向外側に突出して設けられていることを特徴としている。
【００１０】
請求項３に記載された発明は、請求項１又は２に記載のスライダ保持構造において、前記第１係止部と前記第２係止部との間には、隙間が設けられ、前記スライダを前記コネクタ内に挿入させた時前記突起部が前記隙間を通って前記係止位置に位置付けられることを特徴としている。
【００１１】
請求項４に記載された発明は、請求項３に記載のスライダ保持構造において、前記コネクタが、前記スライダを係止する係止突起を備え、前記スライダが、前記厚さ方向に可撓性を有し、先端部が前記係止突起に係止するアームを備え、前記第１係止部が、前記アームの先端部から幅方向に突出して設けられ、前記アーム先端部が前記係止突起を乗り上げた時に、前記突起部が挿入されるように前記隙間が設けられていることを特徴としている。
【発明の効果】
【００１２】
本発明のスライダ保持構造によれば、コネクタが、スライダと係止する突起部を備え、スライダが、相手コネクタの進入方向と逆方向に戻された際に突起部に係止する係止部を備え、コネクタの突起部及びスライダの係止部が、互いに係止した時に、少なくとも一部がスライダの厚さ方向へのスライダの移動を抑制する。このような構成により、本発明のスライダ保持構造は、スライダのめくれ上がりを抑制することが可能であり、コネクタ内におけるスライダの保持性に優れている。
【図面の簡単な説明】
【００１３】
【図１】参考例のスライダ保持構造を示した分解斜視図である。
【図２】図１に示すスライダ保持構造のスライダ保持状態を示した断面図である。
【図３】図１に示すスライダ保持構造のスライダ保持の解除方法を示した図である。
【図４】本発明の一実施形態に係るスライダ保持構造を示した分解斜視図である。
【図５】図４に示すスライダ保持構造のスライダ保持状態を示した断面図である。
【図６】図４に示すスライダ保持構造のスライダ保持状態を示した図５とは異なる断面の断面図である。
【図７】図４に示すスライダ保持構造のスライダ保持動作を示した図である。
【図８】図４に示すスライダ保持構造のスライダ保持動作を示した図である。
【図９】図４に示すスライダ保持構造のスライダ保持動作を示した図である。
【図１０】従来の半嵌合検知コネクタにおけるコネクタ保持構造を示した図である。
【発明を実施するための形態】
【００１４】
以下、参考例のスライダ保持構造について、図１から図３を用いて説明する。図１は、参考例のスライダ保持構造を示した分解斜視図である。図２は、図１に示すスライダ保持構造のスライダを保持した状態を示した断面図である。図３は、図１に示すスライダ保持構造のスライダ保持の解除方法を示した図である。
【００１５】
図１に示すように、参考例のスライダ保持構造１は、図示しない相手コネクタと嵌合可能に設けられたコネクタ２と、コネクタ２内に嵌合方向にスライド自在に設けられたスライダ３と、を備えている。なお、図においてスライド方向（嵌合方向）をＸ、スライダ３の厚さ方向を垂直方向Ｙ、スライダ３の幅方向をＺとして説明する。また、スライド方向Ｘのうち、後述する圧縮ばね６３，６３を中心としてコネクタ２側を相手コネクタの進入方向Ｘ１、スライダ３側を反進入方向Ｘ２（進入方向と逆の方向）とする。なお、スライダ３の幅方向Ｚはスライド方向Ｘ及び垂直方向Ｙの双方に対して垂直な方向である。
【００１６】
コネクタ２は、所定数の端子（図示せず）を嵌入し、スライド方向Ｘに沿って貫通する端子収容室４２を備えたインナハウジング４と、インナハウジング４を覆い反進入方向Ｘ２側が開口したフード状のアウタハウジング５と、を備えている。インナハウジング４とアウタハウジング５とは、垂直方向Ｙの断面が略長方形に形成されている。
【００１７】
図２（ａ）に示すように、インナハウジング４の上壁の上面４３には、相手コネクタに設けられた突起形状のロック部（相手ロック部，図示せず）に係止するロック部４６を先端部に備えた可撓性を有するロックアーム４４，４４が、インナハウジング４と一体的に設けられている。ロックアーム４４，４４は、幅方向Ｚに並んで設けられている。なお、本例において「先端部」とは、先端を含む先端に近い一定の範囲をいう。図２（ａ）及び図３に示すように、ロックアーム４４，４４は、スライド方向Ｘと平行に反進入方向Ｘ２側に延びている。ロック部４６は、ロックアーム４４，４４の間にスライダ３の幅方向Ｚと平行に架けられ、下方に突出した突出部である。ロック部４６と相手ロック部とが係止することにより、コネクタ２と相手コネクタが嵌合状態となる。
【００１８】
アウタハウジング５内のロックアーム４４，４４の上方には、スライダ収容部６が形成され、スライダ収容部６において後述するスライダ３の幅狭部９が収容される部分の幅方向Ｚの両側には、弾性部材収容部６２が形成されている。コネクタ２は、スライダ収容部６内においてスライダ３をスライド方向Ｘにスライド自在に保持している。スライダ収容部６は、インナハウジング４の上壁及びロックアーム４４，４４の上面を、アウタハウジング５の上壁５２で覆うようにして形成されている。スライダ収容部６と弾性部材収容部６２とを仕切る隔壁６ａ，６ａには、スライダ３の反進入方向Ｘ２への移動を規制する突起部４７，４７が幅方向Ｚの内側に向かって突出して設けられている。
【００１９】
突起部４７，４７は、ロックアーム４４，４４の進入方向Ｘ１側の端部から垂直方向Ｙの上方に立設し、隔壁６ａ，６ａと一体に設けられた部材であり、突起部４７，４７によりスライダ３が反進入方向Ｘ２側の開口から脱離することなくスライダ収容部６内に留まる。
【００２０】
突起部４７，４７は、突起本体４７ｂ，４７ｂと、突起本体４７ｂ，４７ｂから進入方向Ｘ１側に突出した突部７，７とから構成されている。突部７，７の下面７１，７1は、スライド方向Ｘと平行に形成されている。突部７，７は、コネクタ２と相手コネクタとの当接が解除されて、スライダ３が反進入方向Ｘ２側に戻された際に、スライダ３の後述する係止部８０，８０に設けられた突部８１，８１の垂直方向Ｙの直上に配される。また、突起部４７，４７の突部７，７が形成された係止面４７ａ，４７ａは、スライド方向Ｘと垂直に設けられている。
【００２１】
弾性部材収容部６２には、スライダ３を反進入方向Ｘ２側に付勢する弾性部材としての圧縮ばね６３，６３が収納されている。
【００２２】
スライダ３は、スライド方向Ｘに延びた板状に形成されている。スライダ３は、図１に示すように幅広に形成された幅広部３１と、幅広部３１より幅が狭く形成された幅狭部９と、を備えている。
【００２３】
幅広部３１は、その幅方向Ｚ略中央部に設けられたスライダアーム３３と、スライダアーム３３の近傍に設けられたロックアーム４４，４４を上方に撓ませる傾斜部３４，３４と、を備えている。幅広部３１の幅方向Ｚ略中央部には、スライド方向Ｘに延びた略長方形の孔３５が形成されている。スライダアーム３３は、孔３５の進入方向Ｘ１側の内縁から、スライド方向Ｘと平行に反進入方向Ｘ２に延び、その先端部に自由端を有する片持ち構造で、幅広部３１と一体的に設けられている。スライダアーム３３は、スライダ当接部３３ａを先端部に備え、可撓性を有している。スライダ当接部３３ａはその当接面３３ｂが、コネクタ２と相手コネクタとを嵌合する際に、相手コネクタに設けられた当接部（図示せず）と対面し当接する。
【００２４】
傾斜部３４，３４は、コネクタ２と相手コネクタの嵌合の際に、その傾斜面でロックアーム４４，４４の先端部と摺接し、ロックアーム４４，４４を垂直方向Ｙの上方に撓ませる。
【００２５】
幅狭部９は、進入方向Ｘ１側の先端部に、コネクタ２の突起部４７，４７と係止する係止部（第１係止部）８０，８０が幅方向Ｚの外側に突出して設けられている。係止部８０，８０は、係止部本体８２，８２と、係止部本体８２，８２から反進入方向Ｘ２側に突出した突部８１，８１と、から構成されている。
【００２６】
突部８１，８１の上面である係止面８３，８３は、垂直方向Ｙと垂直に形成されている。また、突部８１，８１の反進入方向Ｘ２側の係止面８４，８４は、スライド方向Ｘと垂直に形成されている。図２（ａ）に示すように、スライダ３が、スライダ収容部６内に収容されている状態において、コネクタ２の突部７，７及びスライダ３の係止部本体８２，８２、コネクタ２の突起本体４７ｂ，４７ｂ及びスライダ３の突部８１，８１がスライド方向Ｘに当接して係止する。この時、コネクタ２の突部７，７及びスライダ３の突部８１，８１が垂直方向Ｙに当接して係止する。
【００２７】
スライダ３は、アウタハウジング５の反進入方向Ｘ２側の開口から、幅狭部９を先端として、スライダ収容部６内に挿入される。スライダ３は、幅広部３１の厚み部分がばね当接面３７，３７を形成しており、スライダ収容部６内において当該ばね当接面３７，３７で圧縮ばね６３，６３に当接している。
【００２８】
相手コネクタは、コネクタ２の端子に対応する相手端子（図示せず）と、開口を有する相手ハウジング（図示せず）と、を備えている。相手ハウジングは、垂直方向Ｙの断面が略長方形に形成されている。相手ハウジングは、コネクタ２と嵌合する際にインナハウジング４を内部に収容するように、進入方向Ｘ１にコネクタ２に進入して行く。相手ハウジングの上壁の上面（図示せず）には、スライダ当接部３３ａに当接する相手コネクタに設けられた相手当接部と、コネクタ２のロック部４６に係止する相手ロック部とが突出して設けられている。
【００２９】
相手端子は、コネクタ２と相手コネクタを嵌合する際に、端子収容室４２内に嵌挿され、嵌合が完了すると相手端子とコネクタ２の端子とが電気的な接続状態となる。
【００３０】
次に、上述したスライダ保持構造１のスライダ保持動作の一例について図２及び図３を用いて説明する。スライダ３は、幅狭部９を進入方向Ｘ１側に配して先端部とし、コネクタ２内に挿入される。スライダ収容部６内において、スライダ３の進入方向Ｘ側の端部を上方に引き上げてスライダ３を傾けるようにして、係止部８０，８０を突部７，７の上方を通過させ、突部７，７より進入方向Ｘ１側に配するように引き入れる。係止部８０，８０が突部７，７より進入方向Ｘ１側に位置したら、アーム８を下方に引き下げ、スライダ３をスライド方向Ｘと平行になる位置まで戻す（図３）。スライダ３をスライド方向Ｘと平行な位置まで戻し、スライダ３を放すと、スライダ３は、圧縮ばね６３，６３の反発力により、反進入方向Ｘ２側に押し戻される（図２（ａ））。
【００３１】
反進入方向Ｘ２側に押し戻されたスライダ３は、係止部８０，８０が、突起部４７，４７に当接し、反進入方向Ｘ２への移動が規制され、スライダ収容部６内に収納される。この時、突部７，７は、係止部８０，８０の垂直方向Ｙの直上に配されており、突部７，７と係止部８０，８０とは、垂直方向Ｙに係止している状態となる（図２（ａ））。
【００３２】
コネクタ２と相手コネクタとの嵌合は、コネクタ２及びスライダ３を図２（ａ）の状態にセットしてから行われる。相手コネクタがコネクタ２内に進入すると、相手当接部がスライダ３のスライダ当接部３３ａの当接面３３ｂに当接し、スライダ３は進入方向Ｘ１側に押し込まれる。この時、先端部８を含むスライダ３の先端部がスライダ収容部６内から押し出され、図３に示すようなコネクタ２から飛び出した状態となる。さらにこの時、ロックアーム４４，４４は、傾斜部３４，３４に摺接し、上方に撓んでいる（図示せず）。
【００３３】
さらに相手コネクタが進入すると、スライダ３と相手コネクタとの当接が解除されて、スライダ３は圧縮ばね６３，６３の反発力により、反進入方向Ｘ２側に押し戻される（図２（ａ））。
【００３４】
この時、傾斜部３４，３４もスライド方向Ｘの手前側に押し戻されて、ロックアーム４４，４４との摺接も解除されるため、同時にロックアーム４４，４４が弾性的に元の形状に復元し、相手コネクタの進入によりロック部４６より進入方向Ｘ１側に配された相手ロック部にロック部４６が係止する（図示せず）。反進入方向Ｘ２側に押し戻されたスライダ３は、係止部８０，８０が、突起部４７，４７に当接し、反進入方向Ｘ２への移動が規制され、スライダ収容部６内に収納される。この時、突部７，７は、突部８１，８１の垂直方向Ｙの直上に配されており、突部７，７と突部８１，８１とは、垂直方向Ｙに係止している状態となる（図２（ａ））。
【００３５】
コネクタ２とスライダ３との係止状態を解除するには、突部８１，８１が、突部７，７より進入方向Ｘ１側に位置するようにスライダ３を進入方向Ｘ１にスライドさせ、この状態で先端部８を上方に引き上げて、突部８１，８１を突部７，７より上方に引き上げる。これにより、係止状態を解除することができる。
【００３６】
本例に係るスライダ保持構造１は、コネクタ２が、スライダ３と係止する突部７，７を備えた突起部４７，４７を備え、スライダ３が、相手コネクタの反進入方向Ｘ２に押し戻された際に突部７，７に係止する、突部８１，８１を備えた係止部８０，８０を備え、突起部４７，４７及びスライダ３の係止部８０，８０が互いに係止した時に、突部７，７は、突部８１，８１の垂直方向Ｙの直上に配されており、突部７，７と突部８１，８１とは、垂直方向Ｙに係止する。このような構成により、コネクタ２の突起部４７，４７及びスライダ３Ａの係止部８０，８０が互いに係止した時に、スライダ３を上方に持ち上げる方向に外力がかかった場合でも、スライダ３が上方にめくれ上がってしまうめくれ上がりを抑制し、スライダ収容部６内におけるスライダ３の保持性を向上することができる。
【００３７】
以下、本発明の一実施形態に係るスライダ保持構造について、図４から図１０を用いて説明する。図４は、本発明の一実施形態に係るスライダ保持構造を示した分解斜視図である。図５は、図４に示すスライダ保持構造のスライダを保持した状態を示した断面図である。図６は、図４に示すスライダ保持構造のスライダ保持状態を示した図５とは異なる断面の断面図である。
【００３８】
本実施形態のスライダ保持構造１Ａは、コネクタ２におけるスライダ収容部６Ａ及びスライダ３Ａの構成が参考例と異なっている。なお、図４から図１０において、前述した参考例と同一構成部分には、同一符号を付すとともに、上記参考例と同一の構成及び動作に関しては説明を省略する。
【００３９】
スライダ収容部６Ａは、ロックアーム４４，４４の上方に形成されている。スライダ収容部６Ａと弾性部材収容部６２との隔壁６ａ，６ａには、突起部７Ａ，７Ａが設けられている。突起部７Ａ，７Ａは、隔壁６ａ，６ａの垂直方向Ｙの中央付近に、隔壁６ａ，６ａからスライダ３Ａの幅方向Ｚの内側に向かって突出して設けられている。突起部７Ａ，７Ａの下面７１Ａ，７１Ａは、スライド方向Ｘと平行に形成されている。突起部７Ａ，７Ａは、スライダ３Ａの後述する突部８１Ａ，８１Ａの垂直方向Ｙの直上に配され、突起部７Ａ，７Ａの下面７１Ａ，７１Ａが後述する突部８１Ａ，８１Ａの係止面８３，８３と係止する。
【００４０】
また、スライダ収容部６Ａには、スライダ３Ａの反進入方向Ｘ２への移動を規制する係止突起４８が設けられている。係止突起４８は、ロックアーム４４，４４の上面と面一に形成されロックアーム４４，４４とは反対側に延びた面６１上において、スライダ３の幅方向Ｚの略中央部に設けられた突起部である。係止突起４８は、進入方向Ｘ１側に形成された面が垂直方向Ｙと平行に形成されており、係止面４８ａを形成している。また、反進入方向Ｘ２側に形成された面は、反進入方向Ｘ２側に向かうにしたがって下方に近づく傾斜をつけて設けられている。係止面４８ａが、アーム３０（後述する係止面９３ａ）と係止し、スライダ３の反進入方向Ｘ２側への移動を制限する。係止突起４８によりスライダ３が反進入方向Ｘ２側の開口から脱離することなくスライダ収容部６Ａ内に留まる。
【００４１】
スライダ３Ａの幅狭部９Ａは、幅広部３１と一体に設けられた基部９１と、基部９１と一体に設けられた可撓性を有する撓み部９２，９２と、撓み部９２，９２の基部９１とは反対側の端部同士を連結する先端部８と、を備えている。なお、撓み部９２，９２と先端部８とでアーム３０を形成している。撓み部９２，９２は、略長方形の板状部材である基部９１の進行方向Ｘ１側の側面９１ａから、スライダ３の幅方向Ｚに間隔をあけてスライド方向Ｘと平行に延びて先端部８に接続されている。アーム３０は、撓み部９２，９２が可撓性を有することにより、垂直方向Ｙに可撓する。
【００４２】
幅狭部９Ａには、撓み部９２，９２と、側面９１ａと、先端部８の反進入方向Ｘ２側の側面とにより、孔９３が形成されている。孔９３は、スライド方向Ｘに延びた略長方形に形成されている。スライダ３Ａは、孔９３内に係止突起４８を配するようにスライダ収容部６内に収容される。孔９３における先端部８により形成される内縁は係止面９３ａを形成しており、係止面９３ａが係止面４８ａと係止する。これにより、スライダ３が反進入方向Ｘ２側の開口から脱離することなくスライダ収容部６内に留まる。
【００４３】
側面９１ａにおける撓み部９２，９２のスライダ３の幅方向Ｚ外側には、撓み部９２，９２と平行に進入方向Ｘ１側に延びた係止部（第２系止部）９４，９４が設けられている。係止部９４，９４は、その厚さ（垂直方向Ｙの厚さ）が係止部（第１係止部）８０Ａ，８０Ａの垂直方向Ｙの厚さと等しく形成されている。係止部９４，９４は、スライダ３Ａをコネクタ２の突起部７Ａ，７Ａと係止する係止位置よりも進入方向Ｘ１側にスライドさせた時に、突起部７Ａ，７Ａと垂直方向Ｙに係止する。係止部９４，９４の先端面９５，９５は、進入方向Ｘ１側に向かうにしたがって下方に近づく傾斜に設けられている。
【００４４】
アーム３０は、スライダ３Ａがスライダ収容部６Ａ内において、反進入方向Ｘ２側に押し戻された際に、係止面９３ａにおいて係止突起４８と係止する。アーム３０は、先端部８の幅方向Ｚの先端部から幅方向Ｚの外側に突出した係止部８０Ａ，８０Ａを備えている。係止部８０Ａ，８０Ａは、係止部本体８２Ａ，８２Ａと、係止部本体８２Ａ，８２Ａから反進入方向Ｘ２側に突出した突部８１Ａ，８１Ａと、から構成されている。
【００４５】
突部８１Ａ，８１Ａの上面である係止面８３，８３は、スライド方向Ｘと平行に形成されている。また、突部８１Ａ，８１Ａの反進入方向Ｘ２側の面８５，８５は、進入方向Ｘ１側に向かうにしたがって上方に近づく傾斜をつけて設けられている。突部８１Ａ，８１Ａは、その厚さ（垂直方向Ｙの厚さ）が係止部９４，９４と等しく形成されており、係止部９４,９４と係止面８３，８３とは、スライド方向Ｘと平行に且つ同一の高さに形成されている。
【００４６】
先端面９５，９５と面８５,８５とは互いに離間し、対向して平行に設けられており、隙間Ｓ，Ｓを形成している。先端面９５,９５と面８５，８５は反進入方向Ｘ２側に向かうにしたがって下方に近づく傾斜（進入方向Ｘ１側に向かうにしたがって上方に近づく傾斜）に設けられている。突起部７Ａ，７Ａは、スライダ３Ａをスライダ収容部６Ａ内に挿入した時、つまり、係止突起４８を孔９３内に配するためにアーム３０の先端部８が係止突起４８を乗り上げた時に、隙間Ｓ，Ｓに挿入され、隙間Ｓを通って係止部８０Ａ，８０Ａと係止する位置である係止位置に位置づけられる。
【００４７】
次に、上述したスライダ保持構造１Ａのスライダ保持動作の一例について図６から図９を用いて説明する。スライダ３Ａは、アーム３０を進入方向Ｘ１側に配して先端部とし、コネクタ２内に挿入される。図７に示すように、アーム３０を上方に引き上げると、撓み部９２，９２が上方に撓み、アーム３０の先端部８が係止突起４８を乗り上げる。この時、スライダ３Ａの隙間Ｓ，Ｓの下方には、突起部７Ａ，７Ａが配されている。突起部７Ａ，７Ａが隙間Ｓ，Ｓを通るように、アーム３０を下方に引き下げ（図７）、スライダ３Ａをスライド方向Ｘと平行になる位置まで戻す。スライダ３Ａをスライド方向Ｘと平行な位置まで戻し、スライダ３Ａを放すと、スライダ３Ａは、圧縮ばね６３，６３の反発力により、反進入方向Ｘ２側に押し戻される（図６）。
【００４８】
反進入方向Ｘ２側に押し戻されたスライダ３Ａは、アーム３０における係止面９３ａが係止面４８ａと係止し、反進入方向Ｘ２への移動が規制され、スライダ収容部６内に収納される。この時、突起部７Ａ，７Ａは、係止部８０Ａ，８０Ａと係止しており、突部８１Ａ，８１Ａの垂直方向Ｙの直上に配されている。つまり、突起部７Ａ，７Ａと突部８１Ａ，８１Ａとは、スライダ３の垂直方向Ｙに係止している状態となる（図６）。
【００４９】
コネクタ２と相手コネクタとの嵌合は、コネクタ２及びスライダ３を図６の状態にセットしてから行われる。相手コネクタがコネクタ２内に進入すると、相手当接部がスライダ３のスライダ当接部３３ａの当接面３３ｂに当接し、スライダ３Ａは進入方向Ｘ１側に押し込まれる。この時、先端部８を含むスライダ３の先端部がスライダ収容部６内から押し出され、図８に示すようなコネクタ２から飛び出した状態となる。またこの時、係止部９４，９４の垂直方向Ｙには突起部７Ａ，７Ａが配され、係止部９４，９４と突起部７Ａ，７Ａとは垂直方向Ｙに係止している（図８）。さらにこの時、ロックアーム４４，４４は、傾斜部３４，３４に摺接し、上方に撓んでいる（図示せず）。
【００５０】
さらに相手コネクタが進入すると、スライダ３Ａと相手コネクタとの当接が解除されて、スライダ３Ａは圧縮ばね６３，６３の反発力により、反進入方向Ｘ２側に押し戻される（図９）。
【００５１】
反進入方向Ｘ２側に押し戻されたスライダ３Ａは、アーム３０が係止突起４８に当接し、反進入方向Ｘ２への移動が規制され、スライダ収容部６Ａ内に収納される。また、この時、突起部７Ａ，７Ａは、突部８１Ａ，８１Ａの垂直方向Ｙの直上に配されており、突起部７Ａ，７Ａと突部８１Ａ，８１Ａとは、スライダ３の垂直方向Ｙに係止している状態となる（図９）。
【００５２】
コネクタ２とスライダ３Ａとの係止状態を解除するには、突部８１Ａ，８１Ａが、突起部７Ａ，７Ａより進入方向Ｘ１側に位置するようにスライダ３Ａを進入方向Ｘ１にスライドさせ、隙間Ｓ，Ｓの間に突起部７Ａ，７Ａを通してアーム３０を上方に引き上げる。これにより、係止状態を解除することができる。
【００５３】
本実施形態に係るスライダ保持構造１Ａは、コネクタ２が、スライダ３Ａと係止する突起部７Ａ，７Ａを備え、スライダ３Ａが、相手コネクタの反進入方向Ｘ２に押し戻された際に突起部７Ａ，７Ａに係止する、突部８１Ａ，８１Ａを備えた係止部８０Ａ，８０Ａを備え、コネクタ２の突起部７Ａ，７Ａ及びスライダ３Ａの係止部８０Ａ，８０Ａが互いに係止した時に、突起部７Ａ，７Ａと突部８１Ａ，８１Ａは、スライダ３Ａの垂直方向Ｙに係止する。このような構成により、コネクタ２の突起部７Ａ，７Ａ及びスライダ３Ａの係止部８０Ａ，８０Ａが互いに係止した時に、スライダ３Ａを上方に持ち上げる方向に外力がかかった場合でも、スライダ３Ａが上方にめくれ上がってしまうめくれ上がりを抑制し、スライダ収容部６Ａ内におけるスライダ３Ａの保持性を向上することができる。
【００５４】
また、本実施形態に係るスライダ保持構造１Ａは、突起部７Ａ，７Ａが、幅方向Ｚ内側に向かって突出して設けられ、係止部８０Ａ，８０Ａが、幅方向Ｚ外側に突出して設けられている。このような構成により、簡単に突起部７Ａ，７Ａ及び係止部８０Ａ，８０Ａを設けることができる。
【００５５】
また、本実施形態に係るスライダ保持構造１Ａは、スライダ３Ａの係止部８０Ａ，８０Ａと突起部７Ａ，７Ａとを係止した状態から、進入方向Ｘ１にスライドさせた時、突起部７Ａ，７Ａが係止部９４，９４と垂直方向Ｙに係止する。このような構成により、相手コネクタによりスライダ３Ａが進入方向Ｘ１に押し込まれる際に、スライダ３Ａを上方に持ち上げる方向に外力がかかった場合でも、スライダ３Ａが上方にめくれ上がってしまうめくれ上がりを抑制し、スライダ収容部６Ａ内におけるスライダ３Ａの保持性を向上することができる。
【００５６】
また、本実施形態に係るスライダ保持構造１Ａは、隙間Ｓ，Ｓが設けられ、スライダ３を２コネクタ内に挿入させた時突起部７Ａ，７Ａが隙間Ｓ，Ｓを通って係止位置に位置付けられる。このような構成により、簡単にスライダ３を係止位置に位置づけられる。
【００５７】
また、本実施形態に係るスライダ保持構造１Ａは、コネクタ２が、スライダ３を係止する係止突起４８を備え、スライダ３が、垂直方向Ｙに可撓し、先端部８が係止突起４８に係止するアーム３０を備えている。さらに、本実施形態に係るスライダ保持構造１Ａは、スライダ３の係止部８０Ａ，８０Ａが、アーム３０の先端部８から幅方向Ｚに突出して設けられ、アーム３０の先端部８が係止突起４８を乗り上げた時に、突起部７Ａ，７Ａが隙間Ｓ，Ｓに挿入されるように設けられている。このような構成により、より簡単にスライダ３を係止位置に位置づけられる。
【００５８】
なお、前述した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明のスライダ保持構造の構成を具備する限り、勿論、本発明の範疇に含まれるものである。
【００５９】
例えば、上記参考例及び実施形態において、突起部４７，７Ａをスライダ３，３Ａの幅方向Ｚ内側に向かって突出して設けられている構成とし、また、係止部８０Ａ，８０Ａをスライダ３，３Ａの幅方向Ｚ外側に突出して設けられている構成としたが、これに限定されることはない。突起部４７，７Ａ及び係止部８０，８０Ａは、突起部４７及び係止部８０、並びに、突起部７Ａ及び係止部８０Ａが互いに係止した時に、少なくとも一部が垂直方向Ｙに係止していればよい。
【００６１】
また、上記実施形態において、先端面９５，９５と面８５,８５とは互いに離間し、対向して平行に設けられており、隙間Ｓ，Ｓを形成している構成としたが、これに限定されることはなく、係止部９４，９４と突部８１Ａ，８１Ａが連続して形成されており、隙間Ｓ，Ｓを設けない構成としてもよい。
【００６２】
また、上記実施形態において、先端面９５,９５と面８５，８５は反進入方向Ｘ２側に向かうにしたがって下方に近づく傾斜（進入方向Ｘ１側に向かうにしたがって上方に近づく傾斜）に設けられている構成としたが、これに限定されることはない。
【００６３】
また、上記実施形態において、スライダ保持構造１Ａは、係止突起４８及びアーム３０が設けられる構成としたが、これに限定されることはない。例えば、係止突起４８及びアーム３０の両方が設けられていなくてもよく、どちらか一方が設けられる構成としてもよい。
【００６４】
また、上記参考例及び実施形態において、弾性部材として圧縮ばねを例に挙げて説明したが、スライダ３，３Ａを、スライド方向Ｘにおけるコネクタ２側に付勢することができればこれに限定されることはない。
【００６５】
また、上記参考例及び実施形態において、ロック部４６と相手ロック部とが係止することにより、コネクタ２と相手コネクタが嵌合状態となる構成としたが、コネクタ２と相手コネクタの構成及び嵌合方法はこれに限定されることはない。コネクタ２内に相手コネクタが進入すると、相手コネクタがスライダ３，３Ａに当接して進入方向Ｘ１に押し込み、さらに進入すると相手コネクタとスライダ３，３Ａとの当接を解除し、スライダ３，３Ａを反進入方向Ｘ２に戻す構成であれば、特に限定されることはない。
【００６６】
また、上記参考例及び実施形態において、突起部４７は、ロックアーム４４，４４の端部から垂直方向Ｙの上方に立設した構成と、係止突起４８は、ロックアーム４４，４４の上面と面一に形成されロックアーム４４，４４とは反対側に延びた面６１上に立設した構成としたが、これに限定されることはない。
【符号の説明】
【００６７】
１，１Ａ            コネクタ保持構造
２                  コネクタ
３，３Ａ            スライダ
３０                アーム
４７，７Ａ          突起部
４８                係止突起
８０，８０Ａ        係止部（第１係止部）
９４                係止部（第２係止部）
Ｓ                  隙間
Ｘ１                進入方向
Ｘ２                反進入方向（進入方向と逆の方向）
Ｙ                  垂直方向（スライダの厚さ方向）
Ｚ                  幅方向（スライダの幅方向）
【図１】
0006563237.tif 000002
【図２】
0006563237.tif 000003
【図３】
0006563237.tif 000004
【図４】
0006563237.tif 000005
【図５】
0006563237.tif 000006
【図６】
0006563237.tif 000007
【図７】
0006563237.tif 000008
【図８】
0006563237.tif 000009
【図９】
0006563237.tif 000010
【図１０】
0006563237.tif 000011